(57)【要約】【課題】  ＰＣ等の計算機を用いることなく、また、ＰＣを利用した場合よりも短時間でＡＶ機器に蓄積された情報を通信ネットワークを経由して遠隔地にある情報蓄積装置に転送する。【解決手段】  通信ネットワークとの間でパケットの送受信を行う手段と、ＡＶ機器からの情報を受信する手段と、この受信する手段によりＡＶ機器から受信される情報がディジタル情報でないときには当該情報をディジタル情報に変換する手段と、このディジタル情報をパケットに組み立てる手段と、この組み立てる手段により組み立てられたパケットを情報蓄積装置に転送するパケット転送手段とを備える。さらに、情報蓄積装置と自データ転送装置との間のデータ転送能力を実測する手段と、この実測する手段の実測結果に基づきデータ転送能力の推定値を演算する手段とを備えることができる。【選択図】  図１
2006180383.tif 000002
【特許請求の範囲】
【請求項１】
ＡＶ機器と通信ネットワークとの間に接続され、
このＡＶ機器に蓄積された情報を前記通信ネットワークに接続された情報蓄積装置に前記通信ネットワークを介して転送する手段を備えたデータ転送装置であって、
前記転送する手段は、
前記通信ネットワークとの間でパケットの送受信を行う手段と、
前記ＡＶ機器からの情報を受信する手段と、
この受信する手段により前記ＡＶ機器から受信される情報がディジタル情報でないときには当該情報をディジタル情報に変換する手段と、
このディジタル情報をパケットに組み立てる手段と、
この組み立てる手段により組み立てられたパケットを前記情報蓄積装置に転送するパケット転送手段と
を備えたことを特徴とするデータ転送装置。
【請求項２】
前記情報蓄積装置と自データ転送装置との間のデータ転送能力を実測する手段と、
この実測する手段の実測結果に基づき前記データ転送能力の推定値を演算する手段と
を備えた請求項１記載のデータ転送装置。
【請求項３】
前記ディジタル情報に変換する手段は、前記推定値に基づき当該推定値に見合ったデータ転送能力を有する符号化パラメータを用いて前記ＡＶ機器から受信される情報をディジタル情報に変換する手段を備えた請求項１記載のデータ転送装置。
【請求項４】
前記実測する手段は、前記ＡＶ機器から受信される情報が無いときには、テストデータを前記情報蓄積装置との間で送受信することにより前記データ転送能力を実測し、前記ＡＶ機器から受信される情報が有るときには、当該情報の転送の状況を観測することにより前記データ転送能力を実測する手段を備えた請求項２記載のデータ転送装置。
【請求項５】
請求項１ないし４のいずれかに記載のデータ転送装置を用いて前記情報蓄積装置にアーカイブ（ライブラリ）を構築する手段を備えた映像提供システム。
【請求項６】
ＡＶ機器と通信ネットワークとの間に接続され、
このＡＶ機器に蓄積された情報を前記通信ネットワークに接続された情報蓄積装置に前記通信ネットワークを介して転送するデータ転送装置が実行するデータ転送方法であって、
前記ＡＶ機器からの情報を受信するステップと、
この受信するステップにより前記ＡＶ機器から受信される情報がディジタル情報でないときには当該情報をディジタル情報に変換するステップと、
このディジタル情報をパケットに組み立てるステップと、
この組み立てるステップにより組み立てられたパケットを前記情報蓄積装置に転送するステップと
を実行することを特徴とするデータ転送方法。
【請求項７】
前記情報蓄積装置と自データ転送装置との間のデータ転送能力を実測するステップと、
この実測するステップの実測結果に基づき前記データ転送能力の推定値を演算するステップと
を実行する請求項６記載のデータ転送方法。
【請求項８】
前記ディジタル情報に変換するステップは、前記推定値に基づき当該推定値に見合ったデータ転送能力を有する符号化パラメータを用いて前記ＡＶ機器から受信される情報をディジタル情報に変換するステップを実行する請求項６記載のデータ転送方法。
【請求項９】
前記実測するステップは、前記ＡＶ機器から受信される情報が無いときには、テストデータを前記情報蓄積装置との間で送受信することにより前記データ転送能力を実測し、前記ＡＶ機器から受信される情報が有るときには、当該情報の転送の状況を観測することにより前記データ転送能力を実測するステップを実行する請求項７記載のデータ転送方法。
【発明の詳細な説明】
【技術分野】
【０００１】
本発明は、家電機器としてのＡＶ機器と通信ネットワークとの間に接続する装置に利用する。特に、ＡＶ機器に蓄えられた情報を遠隔地にある蓄積装置へ転送する技術に関する。
【０００２】
本発明は、ＡＶ機器に適用することを前提とした発明であるが、ＡＶ機器に限らず、情報を生成または蓄積する家電機器に広く利用することができる。よって、ここではＡＶ機器という用語を用いて説明を行うが、この用語は、オーディオ情報またはビジュアル情報またはテキスト情報その他のあらゆる情報を生成または蓄積する家電機器全般を指すものを代表する用語として用いる。特に、通信ネットワークインタフェースを有しないＡＶ機器を前提とする。
【背景技術】
【０００３】
通信ネットワークインタフェースを有する情報家電機器は、当該情報家電機器を通信ネットワークと直接、接続する機能としての通信ネットワーク機能を有するが、通信ネットワーク機能の設定の煩雑さや通信ネットワーク機能を具備するために高価格となることから一般的な利用には至っていない。多くの場合には、ディジタルビデオカメラなどＡＶ家電機器に蓄えられた情報を通信ネットワーク経由で遠隔地にある装置に蓄積するためには、ＡＶ機器から記憶装置を有するパーソナルコンピュータ（以下、ＰＣと記す）に一旦情報を格納し、その後、当該ＰＣを通信ネットワークに接続し、この情報を遠隔地にある情報蓄積装置に転送して情報の蓄積を行っている。
【発明の開示】
【発明が解決しようとする課題】
【０００４】
図１１に示すようにディジタルビデオカメラなどのＡＶ機器２０１に蓄えられた情報をＰＣを経由して、通信ネットワーク上のサーバ等に蓄積し、仲間同士の間などにも利用できるようにするためには、ディジタルビデオカメラなどのＡＶ機器２０１とＰＣの利用が不可欠であるが、ディジタルビデオカメラの操作に比べ、ＰＣの操作は複雑である。また、動画などの情報の場合には、ＰＣに一旦情報を蓄積するため、大容量の記憶容量とコピーの時間とを必要とする。
【０００５】
また、前述したように、通信ネットワークインタフェースを有する情報家電機器としてのＡＶ機器２０２は、これらのＡＶ機器２０２から通信ネットワークを介して情報蓄積装置４０１に情報を直接転送する機能を有するが、通信ネットワーク機能の設定の煩雑さや通信ネットワーク機能を具備するために高価格となることから一般的な利用には至っていない。
【０００６】
本発明は、このような背景に行われたものであって、ＰＣ等の計算機を用いることなく、また、ＰＣを利用した場合よりも短時間でＡＶ機器に蓄積された情報を通信ネットワークを経由して遠隔地にある情報蓄積装置に転送させることができるデータ転送装置および転送方法を提供することを目的とする。
【課題を解決するための手段】
【０００７】
本発明の第一の観点は、ＡＶ機器と通信ネットワークとの間に接続され、このＡＶ機器に蓄積された情報を前記通信ネットワークに接続された情報蓄積装置に前記通信ネットワークを介して転送する手段を備えたデータ転送装置である。
【０００８】
ここで、本発明の特徴とするところは、前記転送する手段は、前記通信ネットワークとの間でパケットの送受信を行う手段と、前記ＡＶ機器からの情報を受信する手段と、この受信する手段により前記ＡＶ機器から受信される情報がディジタル情報でないときには当該情報をディジタル情報に変換する手段と、このディジタル情報をパケットに組み立てる手段と、この組み立てる手段により組み立てられたパケットを前記情報蓄積装置に転送するパケット転送手段とを備えたところにある（請求項１）。
【０００９】
これにより、ＡＶ機器が通信ネットワーク接続のためのインタフェースを有していなくても、ＡＶ機器に蓄積された情報を遠隔地にある情報蓄積装置に転送することができる。このときに、ＡＶ機器から受信した情報は、一時的にデータ転送装置に蓄えられることなく、逐次、情報蓄積装置に転送されるので、ＰＣのように、大容量のメモリを備える必要もなく、また、データコピーに要する時間も必要としない。
【００１０】
また、前記情報蓄積装置と自データ転送装置との間のデータ転送能力を実測する手段と、この実測する手段の実測結果に基づき前記データ転送能力の推定値を演算する手段とを備えることが望ましい（請求項２）。
【００１１】
これにより、データ転送能力に見合った容量のデータ転送を行うことができるため、情報量が多過ぎて、途中の経路で情報が廃棄されたり、あるいは、情報量が少な過ぎて、必要以上に転送時間がかかったりといったことを回避することができる。
【００１２】
また、前記ディジタル情報に変換する手段は、前記推定値に基づき当該推定値に見合ったデータ転送能力を有する符号化パラメータを用いて前記ＡＶ機器から受信される情報をディジタル情報に変換する手段を備えることができる（請求項３）。
【００１３】
これにより、ディジタル情報に変換する際に、転送する情報量を調整することができる。
【００１４】
また、前記実測する手段は、前記ＡＶ機器から受信される情報が無いときには、テストデータを前記情報蓄積装置との間で送受信することにより前記データ転送能力を実測し、前記ＡＶ機器から受信される情報が有るときには、当該情報の転送の状況を観測することにより前記データ転送能力を実測する手段を備えることができる（請求項４）。
【００１５】
これにより、転送情報が無いときには、テストデータを用いてデータ転送能力を実測するので、ＡＶ機器からの情報を受信した場合には、速やかに、適切な情報量のデータ転送を実施することができる。さらに、データ転送を実施する毎に、その時点におけるデータ転送能力を実測するので、最新の実測結果に基づき、正確なデータ転送能力を推定することができる。
【００１６】
本発明の第二の観点は、本発明のデータ転送装置を用いて前記情報蓄積装置にアーカイブ（ライブラリ）を構築する手段を備えた映像提供システムである（請求項５）。
【００１７】
例えば、同じグループに属する仲間同士で、一つの情報蓄積装置を指定しておけば、ここに自分達が撮影した映像データによるアーカイブ（ライブラリ）が自動的に構築され、仲間同士でいつでも閲覧することができる。
【００１８】
本発明の第三の観点は、ＡＶ機器と通信ネットワークとの間に接続され、このＡＶ機器に蓄積された情報を前記通信ネットワークに接続された情報蓄積装置に前記通信ネットワークを介して転送するデータ転送装置が実行するデータ転送方法である。
【００１９】
ここで、本発明の特徴とするところは、前記ＡＶ機器からの情報を受信するステップと、この受信するステップにより前記ＡＶ機器から受信される情報がディジタル情報でないときには当該情報をディジタル情報に変換するステップと、このディジタル情報をパケットに組み立てるステップと、この組み立てるステップにより組み立てられたパケットを前記情報蓄積装置に転送するステップとを実行するところにある（請求項６）。
【００２０】
また、前記情報蓄積装置と自データ転送装置との間のデータ転送能力を実測するステップと、この実測するステップの実測結果に基づき前記データ転送能力の推定値を演算するステップとを実行することができる（請求項７）。
【００２１】
また、前記ディジタル情報に変換するステップは、前記推定値に基づき当該推定値に見合ったデータ転送能力を有する符号化パラメータを用いて前記ＡＶ機器から受信される情報をディジタル情報に変換するステップを実行することができる（請求項８）。
【００２２】
また、前記実測するステップは、前記ＡＶ機器から受信される情報が無いときには、テストデータを前記情報蓄積装置との間で送受信することにより前記データ転送能力を実測し、前記ＡＶ機器から受信される情報が有るときには、当該情報の転送の状況を観測することにより前記データ転送能力を実測するステップを実行することができる（請求項９）。
【発明の効果】
【００２３】
本発明によれば、ＰＣ等の計算機を用いることなく、また、ＰＣを利用した場合よりも短時間でＡＶ機器に蓄積された情報を通信ネットワークを経由して遠隔地にある情報蓄積装置に蓄積することができる。
【発明を実施するための最良の形態】
【００２４】
本発明実施例のデータ転送装置および転送方法を図１ないし図４を参照して説明する。図１は本実施例のデータ転送装置のブロック構成および通信ネットワークおよびＡＶ機器との接続構成を示す図である。図２は本実施例のデータ転送装置および転送方法を説明するための図である。図３は本実施例のデータ転送装置で用いる自装置情報および情報蓄積装置情報を示す図である。図４は本実施例のデータ転送方法を示すフローチャートである。
【００２５】
本実施例は、図１に示すように、ＡＶ機器２０１と通信ネットワーク３０１との間に接続され、このＡＶ機器２０１に蓄積された情報を通信ネットワーク３０１に接続された情報蓄積装置４０１に通信ネットワーク３０１を介して転送する手段を備えたデータ転送装置１０１である。
【００２６】
ここで、本実施例の特徴とするところは、前記転送する手段は、通信ネットワーク３０１との間でパケットの送受信を行うネットワーク通信部１０４と、ＡＶ機器２０１からの情報を受信する入力処理部１０３とを備え、この入力処理部１０３は、ＡＶ機器２０１から受信される情報がディジタル情報でないときには当該情報をディジタル情報に変換する手段と、このディジタル情報をパケットに組み立てる手段とを備え、ネットワーク通信部１０４は、この組み立てる手段により組み立てられたパケットを情報蓄積装置４０１に転送するパケット転送手段を備えたところにある（請求項１）。
【００２７】
また、ネットワーク通信部１０４は、情報蓄積装置４０１と自データ転送装置１０１との間のデータ転送能力を実測する手段と、この実測する手段の実測結果に基づき前記データ転送能力の推定値を演算する手段とを備える（請求項２）。
【００２８】
また、入力処理部１０３の前記ディジタル情報に変換する手段は、前記推定値に基づき当該推定値に見合ったデータ転送能力を有する符号化パラメータを用いてＡＶ機器２０１から受信される情報をディジタル情報に変換する手段を備える（請求項３）。
【００２９】
また、ネットワーク通信部１０４の前記実測する手段は、ＡＶ機器２０１から受信される情報が無いときには、テストデータを情報蓄積装置４０１との間で送受信することにより前記データ転送能力を実測し、ＡＶ機器２０１から受信される情報が有るときには、当該情報の転送の状況を観測することにより前記データ転送能力を実測する手段を備える（請求項４）。
【００３０】
図２に示すように、本実施例のデータ転送装置１０１により情報蓄積装置４０１にＡＶ機器２０１からの情報を転送する際には、ＡＶ機器２０１から情報を受信する処理（図２の（１））と、情報蓄積装置４０１に情報を転送する処理（図２の（２））とが同時進行する。したがって、図２の（１）の処理と（２）の処理との処理時間差の分だけデータを保持すればよく、ＰＣのように、一旦、全データを保持する必要はない。このために、転送すべき全データ量が膨大であっても、入力処理部１０３またはネットワーク通信部１０４が保持するデータ量は少なくて済む。また、ＰＣのように、一旦、全データをコピーして取り込む必要はなく、その分、ＰＣを用いる場合と比較してデータ転送に要する時間を短縮することができる。
【００３１】
また、本実施例は、図４に示すように、ＡＶ機器２０１と通信ネットワーク３０１との間に接続され、このＡＶ機器２０１に蓄積された情報を通信ネットワーク３０１に接続された情報蓄積装置４０１に通信ネットワーク３０１を介して転送するデータ転送装置１０１が実行するデータ転送方法である。
【００３２】
ここで、本実施例の特徴とするところは、ＡＶ機器２０１からの情報を受信するステップＳ３、Ｓ４と、この受信するステップＳ３、Ｓ４によりＡＶ機器２０１から受信される情報がディジタル情報でないときには（Ｓ５）、当該情報をディジタル情報に変換するステップＳ８と、このディジタル情報をパケットに組み立てるステップＳ６と、この組み立てるステップＳ６により組み立てられたパケットを情報蓄積装置４０１に転送するステップＳ７とを実行するところにある（請求項６）。
【００３３】
また、情報蓄積装置４０１と自データ転送装置１０１との間のデータ転送能力を実測するステップＳ１、Ｓ２を実行し、この実測するステップＳ１、Ｓ２では、実測結果に基づきさらに前記データ転送能力の推定値を演算する（請求項７）。
【００３４】
また、ディジタル情報に変換するステップＳ８は、前記推定値に基づき当該推定値に見合ったデータ転送能力を有する符号化パラメータを用いてＡＶ機器２０１から受信される情報をディジタル情報に変換するステップを実行する（請求項８）。
【００３５】
また、実測するステップＳ１、Ｓ２は、ＡＶ機器２０１から受信される情報が無いときには、テストデータを情報蓄積装置４０１との間で送受信することにより前記データ転送能力を実測し、ＡＶ機器２０１から受信される情報が有るときには、当該情報の転送の状況を観測することにより前記データ転送能力を実測する（請求項９）。
【００３６】
また、図１０は本実施例のデータ転送装置１０１を用いて情報蓄積装置４０１にアーカイブ（ライブラリ）を構築する手段を備えた映像提供システムを示す図である（請求項５）。この構築する手段は、各データ転送装置１０１における入力処理部１０３、ネットワーク通信部１０４、設定情報保持部１０５によって実現される。
【００３７】
以下では、本実施例をさらに詳細に説明する。
【００３８】
図１に示すようにデータ転送装置１０１は、映像などの情報を保持するＡＶ機器２０１と接続し、入力した情報を通信ネットワーク３０１を経由して、情報蓄積装置４０１へ転送する。データ転送装置１０１は、操作ボタン１０２、入力処理部１０３、ネットワーク通信部１０４、設定情報保持部１０５から構成される。
【００３９】
データ転送装置１０１は通信ネットワーク３０１に接続されると設定情報保持部１０５の内容に基づき、通信ネットワーク経由で情報蓄積装置４０１へと通信設定をする。ネットワーク通信部１０４は、情報蓄積装置４０１との間で自動的に通信試験を行い、利用できる帯域と遅延時間とを測定し、利用可能なディジタル符号化方式を設定情報保持部１０５へ記録する。情報の転送開始および終了は操作ボタン１０２により実施される。
【００４０】
入力処理部１０３は、ＡＶ機器２０１の出力形式に合わせて、１または複数搭載してもよい。また、ＡＶ機器２０１の出力形式がアナログ方式の場合には、入力処理部１０３において、設定情報保持部１０５から符号化情報を読み取り、ディジタル符号化する。ディジタル化されたデータはネットワーク通信部１０４へ送られ、そこでパケット化され、通信ネットワーク３０１を経由して情報蓄積装置４０１へ送信される。ＡＶ機器２０１の出力形式がディジタル化されたデータの場合には、ネットワーク通信部１０４へ送られ、そこで、パケット化され、通信ネットワーク３０１を経由して情報蓄積装置４０１へ送信される。
【００４１】
設定情報保持部１０５には、事前に図３、図９に示す情報を格納しておく。また、図５、図６に示すデータの保存領域も確保する。通信ネットワーク設定情報には、自装置情報と情報蓄積装置情報とがある。自装置情報として、自アドレス、デフォルトルータ、サブネットマスク、ＤＮＳサーバアドレス、プロキシサーバアドレスが格納される。ＤＨＣＰなどの設定情報の自動取得機能を通信ネットワークが提供している場合には、提供項目についての設定は不要である。情報蓄積装置情報は、アドレス、ポート、ユーザアカウント、認証情報から構成される。
【００４２】
データ転送装置１０１の動作手順を図４に示す。データ転送装置１０１は電源が入ると、設定情報保持部１０５の通信ネットワーク設定情報を読み込み、通信ネットワーク接続テストを実施し（Ｓ１）、情報蓄積装置４０１との接続が可能か否かを確認する。テスト結果が良好な場合には、当該データ転送装置１０１と当該情報蓄積装置４０１との間でテストデータを送受信し、データ転送能力を測定する（Ｓ２）。図５に示すように、曜日、時間帯毎に分けて、測定値は設定情報保持部１０５へ書き込む。図６に示すように、測定値、推定値を算出し、最終的に符号化に使用する転送能力を算出する。図７には推定値の更新方法を示す。
【００４３】
推定値の更新は、図７に示すように、最新実測値Ｒｉｊを更新し（Ｓ１１）、これに基づき推定値Ｘｉｊも更新する（Ｓ１２）。符号化に使う転送能力Ｔを決定する際には、最新実測値Ｒｉｊと推定値Ｘｉｊとを比較し、小さい方（ｍｉｎ（Ｘｉｊ，Ｒｉｊ））を採用する（Ｓ１３）。
【００４４】
この状態でＡＶ機器２０１からのデータ入力待ち状態となる（Ｓ３）。当該状態において、入力処理部１０３へのデータの入力が検知されると（Ｓ４）、当該データはネットワーク通信部１０４の送信バッファへ書き込まれる。入力処理部１０４の処理は、入力データがディジタルデータであるか、アナログデータであるかにより異なる。ディジタルデータの場合には（Ｓ５）、通信ネットワーク通信ヘッダを付与し、パケットデータ化された後（Ｓ６）、送信される（Ｓ７）。
【００４５】
アナログデータの場合には（Ｓ５）、図７の方法で決定したデータ転送能力に基づき、図９を使用してディジタル化の際の符号化パラメータを決定し、これを用いて、ディジタル化した後で（Ｓ８）、パケットデータ化された後（Ｓ６）、送信される（Ｓ７）。
【００４６】
入力されたデータを全て送信した後（Ｓ９）、このとき送信したデータによるデータ転送の値を用いて、図７、図８のような計算を行い、図５、図６に示す表を更新する。これらの表はデータ転送装置の電源を切断（Ｓ１０）した後も保持される。
【００４７】
ここで、図８に示す推定値Ｘｉｊの更新アルゴリズムを説明する。図８に示すように、現時点の推定値の有無（Ｘｉｊ＝０？）を判定し（Ｓ１４）、現時点の推定値が無い（＝０）場合には、前後の時間帯の推定値の有無（Ｘｉ（ｊ＋１）≠０かつＸｉ（ｊ−１）≠０）を判定し（Ｓ１５）、前後の時間帯の推定値がある（０でない）場合には、現時点の推定値を前後の時間帯の推定値の平均値で代用する（Ｓ１６）。続いて、現時点の推定値を最新の実測値で更新する（Ｓ１７）。
Ｘｉｊ＝αＸｉｊ＋（１−α）Ｒｉｊ
におけるαは、０＜α＜１であり、αが０に近ければ近いほど、最新実測値により現時点の推定値を更新することができ、αが１に近ければ近いほど、初回測定時を更新せずに使用することができる。αの値をいずれに設定するかは、通信ネットワーク環境その他の諸要因を考慮して最適な値を設定する。
【００４８】
また、前後の時間帯の推定値のいずれかが無い（＝０）場合には、最新実測値Ｒｉｊを推定値Ｘｉｊとする（Ｓ１８）。
【産業上の利用可能性】
【００４９】
本発明によれば、ＰＣ等の計算機を用いることなく、また、ＰＣを利用した場合よりも短時間でＡＶ機器に蓄積された情報を通信ネットワークを経由して遠隔地にある情報蓄積装置に転送することができるため、ＡＶ機器に煩雑な機能を追加する必要がなく、ユーザの利便性を向上させることができる。
【図面の簡単な説明】
【００５０】
【図１】本実施例のデータ転送装置のブロック構成および通信ネットワークおよびＡＶ機器との接続構成を示す図。
【図２】本実施例のデータ転送装置および転送方法を説明するための図。
【図３】本実施例のデータ転送装置が保持する通信ネットワーク設定情報を示す図。
【図４】本実施例のデータ転送方法を示すフローチャート。
【図５】本実施例のデータ転送装置が保持するスループット推定表を示す図。
【図６】本実施例のデータ転送装置が保持するスループット測定結果表を示す図。
【図７】本実施例の符号化に使う転送能力決定手順を示すフローチャート。
【図８】本実施例の推定値更新アルゴリズムを示すフローチャート。
【図９】本実施例の符号化方式リストを示す図。
【図１０】本実施例の映像提供システムの構成例を示す図。
【図１１】従来のデータ転送方法を説明するための図。
【符号の説明】
【００５１】
１０１  データ転送装置
１０２  操作ボタン
１０３  入力処理部
１０４  ネットワーク通信部
１０５  設定情報保持部
１０６  表示部
２０１、２０２  ＡＶ機器
３０１  通信ネットワーク
４０１  情報蓄積装置
【図１】
2006180383.tif 000003
【図２】
2006180383.tif 000004
【図３】
2006180383.tif 000005
【図４】
2006180383.tif 000006
【図５】
2006180383.tif 000007
【図６】
2006180383.tif 000008
【図７】
2006180383.tif 000009
【図８】
2006180383.tif 000010
【図９】
2006180383.tif 000011
【図１０】
2006180383.tif 000012
【図１１】
2006180383.tif 000013